(57)【要約】      （修正有）【課題】ニンニク、ショウガなどのような薬味を一定のサイズ（容量）で貯蔵することができる薬味貯蔵用格子構造の仕切り容器を提供する。【解決手段】ニンニクやショウガをすりおりしてみじん切りした薬味が収納される容器部と、容器部に引き続き形成されながら格子構造となり、縦横多数個が形成された容器格子溝部からなる薬味収納格子容器１１０と、薬味収納格子容器１１０を覆って、その内部への異質物の流入を防止する蓋プレート１３０と、これらをスライディングにより内部に収納して保管管理できるようにうするケース１４０と、から構成されてなされた。ニンニクやショウガなどのような薬味類を少量に貯蔵したり、またはネギ、唐辛子などを切って少量に保管しながら必要の度に必要な量（個数）だけ速やかに取り出して使用できるようにすることによって、料理時間を低減する等の使用上の利便性を極大化できる。【選択図】図１
0003186040.tif 000002
【実用新案登録請求の範囲】
【請求項１】
ニンニクやショウガ材料が細かくみじん切りされた薬味が少量に収納保管できるように仕切りからなる格子構造の薬味貯蔵用容器であって、
前記薬味貯蔵用容器は、
ニンニクやショウガをすりおろしてみじん切りした薬味が収納される容器部と、前記容器部に引き続き形成されながら格子構造となり、縦横多数個が形成された容器格子溝部からなる薬味収納格子容器と、
前記薬味収納格子容器を覆って、その内部への異質物の流入を防止する蓋プレートと、
これらをスライディングにより内部に収納して保管管理できるようにするケースと、
から構成されてなされたことを特徴とする、薬味貯蔵用格子構造の仕切り容器。
【請求項２】
前記容器部が挿入される孔と前記容器格子溝部に対応して挿設されるように縦横多数個のフレーム格子溝部が形成されて前記薬味収納格子容器が挿入装着できるようになったベースフレームを含み、
前記薬味収納格子容器の前記容器格子溝部は横支持台と縦支持台により格子構造で形成され、前記ベースフレームの前記フレーム格子溝部も横支持台と縦支持台により格子構造で形成され、
前記容器格子溝部の横支持台と縦支持台の裏面には前記フレーム格子溝部の横支持台と縦支持台が挿入装着されるようにする凹溝がさらに備えられてなされたことを特徴とする、請求項１に記載の薬味貯蔵用格子構造の仕切り容器。
【請求項３】
前記薬味収納格子容器１１０には前記容器部１１１と前記容器格子溝部１１２との間に括れているように落ち込んでいる首部１１３が形成具備され、前記容器部１１１はラウンド形状となって、その最大直径が前記孔１２１の直径より大きく形成され、前記容器部１１１が前記孔１２１に挟まれる時、弾力的に挿入されるように構成されてなされたことを特徴とする、請求項２に記載の薬味貯蔵用格子構造の仕切り容器。
【請求項４】
前記格子容器の容器部は、
底面が前記隔壁を挟んで下方に傾斜するように形成されることを特徴とする、請求項１に記載の薬味貯蔵用格子構造の仕切り容器。
【請求項５】
前記容器部の厚さは上部より下部が小さく形成されることを特徴とする、請求項４に記載の薬味貯蔵用格子構造の仕切り容器。
【請求項６】
前記格子容器の容器部と容器部との間には下方に一定間隔で支持台が備えられることを特徴とする、請求項４に記載の薬味貯蔵用格子構造の仕切り容器。
【請求項７】
前記容器部の中心の底面には補強リブが突出しており、かつ、
補強リブの厚さは容器部の上部より小さいことを特徴とする、請求項４に記載の薬味貯蔵用格子構造の仕切り容器。
【考案の詳細な説明】
【技術分野】
【０００１】
本考案は、ニンニク、ショウガなどのような薬味を一定のサイズ（容量）に貯蔵することができる薬味貯蔵用容器に関し、より詳しくは、薬味貯蔵用容器を一定のサイズの格子構造にしてニンニクやショウガなどのような薬味類を少量に貯蔵したり、またはネギ、唐辛子などを切って少量に保管しながら必要の度に必要な量（個数）だけ速やかに取り出して使用できるようにすることによって、料理時間を低減する等の使用上の利便性を極大化できるようにする薬味貯蔵用格子構造の仕切り容器に関する。
【背景技術】
【０００２】
一般に、家庭や食堂などではニンニクやショウガ、唐辛子などのような野菜類をすりおろして作った薬味を適当な容器に入れて冷蔵室に保管しながら必要の度に取り出して使用するようになる。しかしながら、ニンニクやショウガなどをすりおろして作った薬味は常温や冷蔵室に入れておいて使用すれば、一定時間が過ぎるにつれて腐るか腐敗して使用することができなくなる。
【０００３】
したがって、少ない量をすりおろして使用するようになるが、これは随時にニンニクや薬味をすりおろさなければならないので、時間上非常に面倒で、不便であり、経済的にも非効率的であった。
【０００４】
このような不便性を解消するために多量の各種の薬味をすりおろしてビニールパックなどに入れて冷凍室に保管しながら必要の度に取り出して必要な量だけ刃等で切って使用するようになるが、これは冷凍薬味が非常に硬いので必要な量だけ切ることは骨が折れ、これもまた不便であり、また一部のスーパーマーケットのような販売店などではニンニクやショウガなどをすりおろして作った薬味を小さな切れで冷凍させてビニールパックなどに入れて販売することもあるが、これもまた一定時間が過ぎれば溶けて細かく切って使用するには非常に不便であった。
【０００５】
したがって、忙しい日常中に食べ物を調理する場合、すりおろして作った薬味類を必要な量だけ迅速で、かつ便利に使用することができる道具や容器などが切実に必要になった。
【０００６】
このような不便性を解消するために、本出願人は‘冷凍薬味自動カッター機’（出願第１０−２００８−００８９６３６号、２００８年０９月１１日）と‘冷凍薬味自動カッター機’（出願第１０−２００８−０１２４４８５号、２００８年１２月０９日）を出願して公開したことがある。
【０００７】
上記した従来の冷凍薬味カッター機（出願第１０−２００８−００８９６３６号、２００８年０９月１１日）は、図７のように、胴体５０と、上記胴体５０の上部の一側に切断手段５１が備えられた第１空間部５２と、上記胴体５０の上部の他側にしゃもじやスプーンなどを保管する容器ケース５３を収納できるようになった第２空間部５４と、上記胴体５０の下部側に備えられて冷凍された薬味類を保管する引出し型薬味容器５５を収納できるようになった薬味容器収納部から構成され、かつ、上記第１空間部５２に備えられた上記切断手段５１は冷凍薬味を切ることができる刃５７が備えられた刃胴体５８と、上記刃胴体５８を固定するプレート５９と、上記プレート５９を挿設固定し、かつ上下に往復スライディング運動可能な固定支持台６０と、上記プレート５９の上部に備えられて上記プレート５９を上部に引くか下部に押して往復運動させることができるように外部に雄ねじ山が形成された作動ロード６１、及び上記作動ロード６１が上下に往復動がなされることができるように時計方向または反時計方向に回転させてあげる回転取っ手６２から構成され、上記第１空間部５２は上部面には上記作動ロード６１が締結され、かつ時計方向または反時計方向に回動可能に雌ねじ山が形成されたロード挿設孔６１ａが備えられており、また下部面である底部には上記刃５７が貫通されて薬味容器５５の内部に貯蔵された冷凍薬味を切り出すことができるようになった刃貫通部６３が備えられた構造となっている。
【０００８】
そして、上記従来の冷凍薬味自動カッター機（出願第１０−２００８−０１２４４８５号、２００８年１２月０９日）は、薬味切断手段が受動代わりに自動になされるように構成されている。
【先行技術文献】
【特許文献】
【０００９】
【特許文献１】出願第１０−２００８−００８９６３６号
【特許文献２】出願第１０−２００８−０１２４４８５号
【考案の概要】
【考案が解決しようとする課題】
【００１０】
家庭や食堂では食物を調理することに迅速で、かつ便利にすることができるようにショウガやニンニクなどのような野菜類をすりおろして作った多量の各種薬味類をビニールパックや容器などに入れて冷凍室に冷凍させて置いた後、必要の度にその都度取り出して必要な量だけ切って使用しているが、これは刃などのような道具を用いて冷凍された薬味を必要な量だけ切って使用するようになるところ、これは不便性は勿論、間違って傷などのような安全事故の危険がある。
【００１１】
また、従来の上記のような冷凍薬味カッター機やはり冷凍された薬味を刃で切断するため、安全事故の危険があり、またその構造が複雑であるので製作費用がたくさんかかることは勿論、保管時にも体積が大きくて多い問題がある。
【００１２】
ここに、本考案は上記のような問題を解決するために案出したものであって、ニンニクやショウガなどを均等にみじん切りした薬味が収納される容器部が形成された格子構造を縦横多数個備えられてなされた薬味収納格子容器と、上記薬味収納格子容器が挿設されるベースフレーム、及び上記薬味収納格子容器を覆って、その内部への異質物などの流入を防止すると共に、容器を多段に積層させることができるようにする蓋プレートと、これらをスライディングにより収納して保管管理できるようにするケースから構成されて、上記薬味収納格子容器に一定サイズに収納された薬味を冷凍保管し、必要の度に必要な量（個数）だけ取り出して使用できるようにして、料理時間が短縮できるようにする等の薬味の活用効用性を極大化できるようにする薬味貯蔵用格子構造の仕切り容器を提供することをその目的とする。
【課題を解決するための手段】
【００１３】
上記のような目的を達成するための本考案は、ニンニクやショウガ材料が細かくみじん切りされた薬味が少量に収納保管できるように仕切りからなった格子構造の薬味貯蔵用容器において、上記薬味貯蔵用容器は、ニンニクやショウガをすりおろしてみじん切りした薬味が収納される容器部と、上記容器部に引き続き形成されながら格子構造となり、縦横多数個が形成された容器格子溝部からなる薬味収納格子容器と、上記薬味収納格子容器を覆って、その内部への異質物の流入を防止する蓋プレートと、これらをスライディングにより内部に収納して保管管理できるようにするケースから構成されてなされたことを特徴とする。
【考案の効果】
【００１４】
したがって、上記のような本考案の薬味貯蔵用格子構造の仕切り容器は、格子形態の薬味収納容器を用いて冷凍された薬味を少量に保管し、これを所望の時期に所望の量だけ迅速で、かつ便利に取り出して使用できるようにすることによって、冷凍薬味の貯蔵効率性を格段に向上させることができ、また食べ物を調理することに多い時間を節約することができるので、調理の効用性は勿論、薬味の貯蔵効用性までも一層高める効果がある。
【００１５】
また、本考案は少量の薬味を格子構造に保管できるように構成することによって、その構成要素が極めて簡単で、かつ単純であるので、製作費用が格段に低減されることは勿論、使用上の便宜性を向上させる長所がある。
【図面の簡単な説明】
【００１６】
【図１】本考案に従う薬味貯蔵用格子構造の仕切り容器の実施形態を示す概略的な斜視状態図である。
【図２】本考案に従う薬味貯蔵用格子構造の仕切り容器の概略的な分離斜視図である。
【図３】本考案に従う薬味貯蔵用格子構造の仕切り容器の平面図（Ａ）、断面図（Ｂ）、及び分離断面図（Ｃ）である。
【図４】本考案に従う薬味貯蔵用格子構造の仕切り容器の要部を拡大した状態断面図である。
【図５】本考案に従う薬味貯蔵用格子構造の仕切りの第２実施形態の平面図である。
【図６】本考案の第２実施形態の側面図である。
【図７】従来の冷凍薬味カッター機を示す状態断面図である。
【考案を実施するための形態】
【００１７】
以下、本考案の好ましい実施形態を添付した図面を参照して当該分野で通常の知識を有する者が容易に実施できるように説明する。
【００１８】
（第１実施形態）
本考案の薬味貯蔵用格子構造の仕切り容器１００は、図１乃至図３に示すように、ニンニクやショウガなどをすりおろしてみじん切りした薬味が収納される容器部１１１が形成された容器格子溝部１１２が縦横多数個形成具備された薬味収納格子容器１１０と、上記容器部１１１が挿入される孔１２１と上記容器格子溝部１１２に対応して挿設されるように多数個のフレーム格子溝部１２２が形成されて、上記薬味収納格子容器１１０が挿入装着できるようになったベースフレーム１２０、上記薬味収納格子容器１１０を覆って、その内部への異質物などの流入を防止すると共に、容器を多段に積層させることができるようにする蓋プレート１３０、及びこれらをスライディングにより収納して保管管理できるようにするケース１４０から構成されてなされる。
【００１９】
そして、薬味収納格子容器１１０に備えられた上記容器部１１１と上記容器格子溝部１１２との間には括れているように落ち込んでいる首部１１３が形成具備され、上記フレーム格子溝部１２２の底面には上記孔１２１の縁部１２３により上記首部１１３がかかって装着される構造となっている。
【００２０】
即ち、上記容器部１１１がラウンド形状になり、その最大直径が上記孔１２１の直径より若干大きく形成されているので、上記容器部１１１が上記孔１２１に挟まれる時、弾力的に挿入されながら上記首部１１３が上記縁部１２３にかかって装着できるようになる。
【００２１】
また、上記薬味収納格子容器１１０の上記容器格子溝部１１２は横支持台と縦支持台により格子構造で形成され、上記ベースフレーム１２０の上記フレーム格子溝部１２２も横支持台と縦支持台により格子構造で形成される。
【００２２】
そして、上記容器格子溝部１１２の横支持台と縦支持台の裏面には上記フレーム格子溝部１２２の横支持台と縦支持台が挿入装着されるようにする凹溝１１４が形成されている。
【００２３】
また、上記ベースフレーム１２０の両端の下面には地面に安定的に置かれることができるようになった支持突起１２４が備えられている。これは、上記容器部１１１が上記孔１２１に挿入された時、容器部１１１が地面に着かないようにする程度の高さに設置具備されれば足りる。
【００２４】
そして、上記ケース１４０の内側面には上記蓋プレート１３０がスライディングにより挿設できるように突起部１４１が設置され、上記蓋プレート１３０の両側面には上記突起部１４１に挟まれる溝１３１が形成される構造となっている。これは、一般的な引出し形態の構造と類似／同一な構造にして構成される。
【００２５】
また、上記蓋プレート１３０の前面には使用者が容易に開いて閉じることができるように取っ手１３２が備えられており、また上記蓋プレート１３０の上面にはこれを積層することに容易であるように積層溝１３３が形成具備されている。
【００２６】
ここで、上記容器格子溝部１１２と上記フレーム格子溝部１２２との格子サイズは薬味の量や種類によってこれを異に構成することができる。即ち、ショウガやニンニクなどのような少量の薬味類を保管するためには格子構造の小さい容器が使われ、ネギや唐辛子などを切って保管するためには多少格子構造の大きい容器を使用するようになる。勿論、消費者の趣向によってこれを異にすることもできる。
【００２７】
また、上記薬味収納格子容器１１０は弾力性のあるシリコンやゴム材質で構成し、上記容器部１１１はその下部で押さえて薬味が抜けるようにしながら弾性により元の位置に復帰できるように形成されている。
【００２８】
上記のように構成された本考案の薬味貯蔵用格子構造の仕切り容器１００に薬味を盛って使用する例を説明すれば、次の通りである。
【００２９】
まず、上記薬味収納格子容器１１０に備えられた上記容器格子溝部１１２と上記容器部１１１にニンニクやショウガなどをすりおろしてみじん切りした薬味を盛る。
【００３０】
次に、上記ベースフレーム１２０のフレーム格子溝部１２２に上記容器格子溝部１１２と上記容器部１１１とを挿入安着させる。この際、上記孔１２１に上記容器部１１１を挿入しながら上記首部１１３が上記縁部１２３にかかる時まで押さえて挿設させる。
【００３１】
これと共に、上記容器格子溝部１１２の横支持台と縦支持台との裏面に形成された上記凹溝１１４に上記フレーム格子溝部１２２の横支持台と縦支持台とが挿入される。
【００３２】
そのようになれば、上記フレーム格子溝部１２２に上記容器格子溝部１１２が挿入装着されながら、上記薬味収納格子容器１１０が上記ベースフレーム１２０に完全に装着されるようになる。
【００３３】
次に、上記蓋プレート１３０を上記薬味収納格子容器１１０の上部を覆って、これを上記ケース１４０に収納した後、冷蔵庫などに貯蔵保管する。
【００３４】
このようにして、必要の度にこれらを取り出して使用することによって、料理時間の節約は勿論、その利便性も一層倍加できる長所がある。
【００３５】
（第２実施形態）
図５及び図６は薬味収納格子容器の第２実施形態を示す図であって、第１実施形態のベースフレーム１２０無しで機能を提供する。
【００３６】
図５及び図６に示すように、左右側面に長く取っ手１１７が形成され、取っ手の内側に多数個の容器部１１１が備えられ、容器部１１１と容器部１１１との間の下部には一定間隔で支持台１１５が備えられる。使用者が取っ手１１７を手で取って 薬味収納格子容器１１０をねじれば容器部１１１の中心はたくさん歪み、支持台１１５部分は相対的に少なく歪んで、凍らせた薬味が容器１１０から容易に分離できる。
【００３７】
一方、容器部１１１は、図６のように底面に下るほど、中心部側に傾斜しており、このような傾斜もねじれを大きく提供して、薬味の分離を容易にする。薬味部１１１は上部から中心部へ行くほど、その厚さが薄くなって使用者の手の力により形態が容易に変更（曲がり）される。上部の厚さ（ａ）が底面中心の厚さ（ｂ）より大きく形成されることによって、使用者は薬味収納格子容器１１０をねじれた後に容器部１１１の底面を手で押さえて容器部１１１の内の薬味を手で押して凍らせた薬味格子を得ることができる。
【００３８】
一方、容器部１１１と容器部１１１とはその上部が互いに結合されて別途の支持台１１５無しで結合された構造であって、支持台のように堅固性を提供することもできる。
【００３９】
本考案の薬味収納格子容器１１０は同一な１つの材質からなっても容器部の底面の厚さ（ｂ）が薄くて曲がりが可能であるので、使用者が容易に薬味を容器から分離することができる。
【００４０】
また、容器部の中心部には補強リブ１１６が形成される。このような補強リブ１１６の形態は、図５で円形の内に花びら形態に図示されているが、花びの以外に、十字（＋）形態または三角形態、または円形のみで形成されることもできる。また、上記補強リブ１１６の外形である円形は下部に突出し、その厚さを薄くして他の所に比べて曲がりの程度を大きくする。上記補強リブ１１６は、薬味が容器１１０から容易に分離できるようにし、使用者が手で押して曲がった容器部１１１に復元力を提供する。
【符号の説明】
【００４１】
１００    薬味貯蔵用格子構造の仕切り容器
１１０    薬味収納格子容器
１２０    ベースフレーム
１３０    蓋プレート
１４０    ケース
１１１    容器部
１１２    容器格子溝部
１１３    首部
１１４    凹溝
１１５    支持台
１１６    補強リブ
１１７    取っ手
１２１    孔
１２２    フレーム格子溝部
１２３    縁部
１２４    支持突起
１３１    溝
１３２    取っ手
１３３    積層溝
１３４    突起部
１４１    突起部
【図１】
0003186040.tif 000003
【図２】
0003186040.tif 000004
【図３（Ａ）】
0003186040.tif 000005
【図３（Ｂ）】
0003186040.tif 000006
【図３（Ｃ）】
0003186040.tif 000007
【図４】
0003186040.tif 000008
【図５】
0003186040.tif 000009
【図６】
0003186040.tif 000010
【図７】
0003186040.tif 000011